(57)【要約】      （修正有）【課題】被搬送物の乗り継ぎがスムーズで、乗り継ぎ片の互換装着や設置が簡単に行え、乗り継ぎ片を安定的に支持でき、搬送方向の力に対して乗り継ぎ片が変位することなく十分対応できる強度と剛性を備え、耐久性に優れ、取扱い易く、メンテナンスも容易で、構成簡素で、量産に適し、低廉で、経済的な乗り継ぎ装置を提供する。【解決手段】一対の連結プレートと金属製支持杆３０と合成樹脂製乗り継ぎ片４０とを備え、乗り継ぎ片４０は、上面４１と一対の傾斜下面４２と装着溝４３とを有し、装着溝４３と傾斜下面４２の連設部分夫々に、係止顎部を形成し、係止顎部夫々の下端部分に小傾斜面を形成し、乗り継ぎ片４０の弾性を利用して、乗り継ぎ片４０の装着溝４３が支持杆３０の張出し片３２部分に上方から強制嵌合可能で、乗り継ぎ片４０が支持杆３０から上方に強制離脱可能となるよう構成する。【選択図】図２
2011073832.tif 000002
【特許請求の範囲】
【請求項１】
隣設する一対のコンベヤの間に設置されて、一方のコンベヤから他方のコンベヤへの被搬送物の乗り継ぎをスムーズに行えるようにした乗り継ぎ装置であって、隣設する一対のコンベヤの両側にあるフレーム材相互を連結する一対の連結プレートと、この一対の連結プレート間に支持手段を介して架設される縦断面Ｔ字状の金属製支持杆と、この支持杆の上部の張出し片に装着される合成樹脂製乗り継ぎ片とを備え、前記乗り継ぎ片は、細長矩形状の上面と、この上面の長辺縁に夫々連設される一対の傾斜下面と、この一対の傾斜下面の下端縁間に配される装着溝とを有し、装着溝と傾斜下面の連設部分夫々には、僅かに突出するような係止顎部を形成すると共に、この係止顎部夫々の下端部分に相互に対峙するような小傾斜面を形成し、乗り継ぎ片の弾性を利用して、乗り継ぎ片の装着溝部分が支持杆の張出し片部分に上方から強制嵌合可能となるように構成すると共に、乗り継ぎ片が支持杆から上方に強制離脱可能となるように構成したことを特徴とするコンベヤ間の乗り継ぎ装置。
【請求項２】
乗り継ぎ片の上面に、梨地状の凹凸や或いは搬送方向に沿うような複数の切欠小溝を設けて、被搬送物との接触面積を低減したことを特徴とする請求項１記載のコンベヤ間の乗り継ぎ装置。
【請求項３】
前記支持手段は、取付けネジによって連結プレートに固定される固定用ブロックと、調節ボルトを介して固定用ブロックの上方に配されると共に、長孔に挿通される位置決めネジを介して連結プレートに昇降可能に固定される支持用ブロックとを備え、前記調節ボルトは、固定用ブロックの貫通孔に貫通されると共に、その先端部分が支持用ブロックの雌ネジ穴に螺着され、調節ボルトに螺着された一対のナットが、固定用ブロックを上下から挟むように配されて、調節ボルトに対するナットの螺着位置の調節により、支持用ブロックの上下位置を微調節できるようを特徴とする請求項１記載のコンベヤ間の乗り継ぎ装置。
【請求項４】
前記支持用ブロックは、その上面に支持杆の端部を収容可能なＴ溝状の切欠溝部を形成すると共に、この切欠溝部上方を覆うように押え板が固定ネジを介して装着できるよう形成して、切欠溝部に収容された支持杆の端部を押え板で固定できるように構成したことを特徴とする請求項３記載のコンベヤ間の乗り継ぎ装置。
【発明の詳細な説明】
【技術分野】
【０００１】
本発明は、隣設する一対のコンベヤの間に設置されて、一方のコンベヤから他方のコンベヤへの被搬送物の乗り継ぎをスムーズに行えるようにした乗り継ぎ装置に係り、特に、乗り継ぎ時に被搬送物が接触することにより摩耗する乗り継ぎ片の互換装着が簡単に行えると共に、一対のコンベヤの間への設置が簡単に行え、被搬送物がよりスムーズに乗り継ぎでき、更に、乗り継ぎ片の上面の高さ調節が簡単に行え、耐久性に優れ、取扱い易く、メンテナンスも容易で、しかも、構成が簡素で、量産に適し、低廉で、経済的となるように工夫したコンベヤ間の乗り継ぎ装置に関するものである。
【背景技術】
【０００２】
従来、この種のコンベヤ間の乗り継ぎ装置にあっては種々のものが発明されており、例えば、特許文献１に示すようなコンベヤ間の受渡部材が創出されている。
これは、直列に配置された複数のコンベヤの接続部分に設けられ、一方のコンベヤ上を搬送されてきた物品を他方のコンベヤに受け渡す受渡部材であって、この受渡部材は、一方のコンベヤから他方のコンベヤに乗り移る物品が摺動する摺動面を有するプレート部と、このプレート部を、上下動およびコンベヤ搬送方向の前後への移動を規制するとともに、コンベヤ搬送方向と直交する方向に移動可能に支持し、かつ、前記摺動面の高さを調節できる支持体とを備え、前記プレート部を、コンベヤ搬送方向と直交する方向に移動して支持体に対し着脱可能に構成する手段を採用したものである。
【先行技術文献】
【特許文献】
【０００３】
【特許文献１】特許第３７７２６２６号公報
【発明の概要】
【発明が解決しようとする課題】
【０００４】
ところが、前述の如きコンベヤ間の受渡部材にあっては、プレート部を、コンベヤ搬送方向と直交する方向（コンベヤの幅方向）に移動して支持体に対し着脱可能に構成してあるため、コンベヤの側方に少なくともコンベヤの幅程度の空間がないと、プレート部の互換装着ができない問題点があった。
また、プレート部を支える支持体は、コンベヤとの干渉を避けるためにプレート部をかなり離れた下方から支えるような構造にしてあるため、支持体は、プレート部に加えられる搬送方向の力に対して大きな影響を受け易い難点もあった。すなわち、プレート部に加えられる力によって、プレート部が搬送方向に一時的に（或いは、永久的に）変位したり、搬送方向に振動したりする虞もあった。
しかも、支持体自体が隣設するコンベヤの間の下方に配置されているため、支持体でのプレート部の高さ調節作業が行い難い難点があった。
更に、支持体自体の構成がかなり複雑となっている難点もあった。
そこで、本発明は、前記問題点や難点等を解消して、乗り継ぎ片の互換装着が簡単に行え、一対のコンベヤの間への設置も簡単に行え、被搬送物がよりスムーズに乗り継ぎでき、乗り継ぎ片の上面の高さ調節が簡単に行え、耐久性に優れ、取扱い易く、メンテナンスも容易で、しかも、構成が簡素で、量産に適し、低廉で、経済的な乗り継ぎ装置を提供できるようにすべく創出されたものである。
【課題を解決するための手段】
【０００５】
しかして、前述の如き課題を達成すべく、請求項１記載のコンベヤ間の乗り継ぎ装置にあっては、隣設する一対のコンベヤ１の間に設置されて、一方のコンベヤ１から他方のコンベヤ１への被搬送物の乗り継ぎをスムーズに行えるようにした乗り継ぎ装置であって、隣設する一対のコンベヤ１の両側にあるフレーム材３相互を連結する一対の連結プレート５と、この一対の連結プレート５間に支持手段を介して架設される縦断面Ｔ字状の金属製支持杆３０と、この支持杆３０の上部の張出し片３２に装着される合成樹脂製乗り継ぎ片４０とを備え、前記乗り継ぎ片４０は、細長矩形状の上面４１と、この上面４１の長辺縁に夫々連設される一対の傾斜下面４２と、この一対の傾斜下面４２の下端縁間に配される装着溝４３とを有し、装着溝４３と傾斜下面４２の連設部分夫々には、僅かに突出するような係止顎部４４を形成すると共に、この係止顎部４４夫々の下端部分に相互に対峙するような小傾斜面４５を形成し、乗り継ぎ片４０の弾性を利用して、乗り継ぎ片４０の装着溝４３部分が支持杆３０の張出し片３２部分に上方から強制嵌合可能となるように構成すると共に、乗り継ぎ片４０が支持杆３０から上方に強制離脱可能となるように構成する手段を採用した。
【０００６】
また、請求項２記載のコンベヤ間の乗り継ぎ装置にあっては、乗り継ぎ片４０の上面４１に、梨地状の凹凸や或いは搬送方向に沿うような複数の切欠小溝４６を設けて、被搬送物との接触面積を低減する手段を採用した。
【０００７】
更に、請求項３記載のコンベヤ間の乗り継ぎ装置にあっては、前記支持手段は、取付けネジ１３によって連結プレート５に固定される固定用ブロック１０と、調節ボルト１５を介して固定用ブロック１０の上方に配されると共に、長孔２１に挿通される位置決めネジ２４を介して連結プレート５に昇降可能に固定される支持用ブロック２０とを備え、前記調節ボルト１５は、固定用ブロック１０の貫通孔１２に貫通されると共に、その先端部分が支持用ブロック２０の雌ネジ穴２３に螺着され、調節ボルト１５に螺着された一対のナット１６が、固定用ブロック１０を上下から挟むように配されて、調節ボルト１５に対するナット１６の螺着位置の調節により、支持用ブロック２０の上下位置を微調節できるように構成する手段を採用した。
【０００８】
そして、請求項４記載のコンベヤ間の乗り継ぎ装置にあっては、前記支持用ブロック２０は、その上面に支持杆３０の端部を収容可能なＴ溝状の切欠溝部２２を形成すると共に、この切欠溝部２２上方を覆うように押え板２５が固定ネジ２６を介して装着できるよう形成して、切欠溝部２２に収容された支持杆３０の端部を押え板２５で固定できるように構成する手段を採用した。
【発明の効果】
【０００９】
従って、請求項１記載のコンベヤ間の乗り継ぎ装置によれば、一方のコンベヤ１から他方のコンベヤ１への被搬送物の乗り継ぎがスムーズに行えるようになる。
特に、乗り継ぎ時に被搬送物が接触することにより摩耗する乗り継ぎ片４０の互換装着が、支持杆３０の上方からの着脱で行えるようになり、従来技術のようにコンベヤ１側方に作業空間が無くても簡単に行えるようになる。
更に、乗り継ぎ片４０を支える支持杆３０が支持手段を介して一対の連結プレート５間に架設されるので、一対のコンベヤ１の間への設置が簡単に行えるようになると共に、乗り継ぎ片４０を安定的に支持できるようになり、乗り継ぎ片４０に加えられる搬送方向の力に対しても変位することなく十分対応できる強度と剛性を備えたものとなる。
すなわち、耐久性に優れ、取扱い易く、メンテナンスも容易で、しかも、構成が簡素で、量産に適し、低廉で、経済的な乗り継ぎ装置となる。
【００１０】
また、請求項２記載のコンベヤ間の乗り継ぎ装置によれば、被搬送物が乗り継ぎ片４０の上面４１をよりスムーズに移動できるようになる。
【００１１】
更に、請求項３記載のコンベヤ間の乗り継ぎ装置によれば、乗り継ぎ片４０の上面４１の高さ調節が簡単に且つ正確に行えるようになると共に、乗り継ぎ片４０の高さ調節作業が行い易いものとなる。
【００１２】
そして、請求項４記載のコンベヤ間の乗り継ぎ装置によれば、支持杆３０の端部を支持用ブロック２０に簡単に且つ安定的に固定できるようになる。
【図面の簡単な説明】
【００１３】
【図１】本発明の乗り継ぎ装置を例示する斜視図である。
【図２】本発明の乗り継ぎ装置を例示する分解斜視図である。
【図３】本発明の乗り継ぎ装置を例示する部分断面図である。
【図４】本発明の乗り継ぎ装置を例示する一部省略平面図である。
【図５】本発明の乗り継ぎ装置を例示する部分側面図である。
【発明を実施するための形態】
【００１４】
以下、本発明を図示例に基づいて説明すると、次の通りである。
本発明は、隣設する一対のコンベヤ１の間に設置されて、一方のコンベヤ１の搬送チェーン２から他方のコンベヤ１の搬送チェーン２への被搬送物の乗り継ぎがスムーズに行えるようにしたコンベヤ１間の乗り継ぎ装置である。
そして、この乗り継ぎ装置は、隣設する一対のコンベヤ１の両側にあるフレーム材３相互を連結する一対の連結プレート５と、この一対の連結プレート５間に支持手段を介して架設される縦断面Ｔ字状の金属製支持杆３０と、この支持杆３０の上部の張出し片３２に装着される合成樹脂製乗り継ぎ片４０とを備えたものである。
更に、前記乗り継ぎ片４０は、細長矩形状の上面４１と、この上面４１の長辺縁に夫々連設される一対の傾斜下面４２と、この一対の傾斜下面４２の下端縁間に配される装着溝４３とを有し、装着溝４３と傾斜下面４２の連設部分夫々には、僅かに突出するような係止顎部４４を形成すると共に、この係止顎部４４夫々の下端部分に相互に対峙するような小傾斜面４５を形成してある。
それから、乗り継ぎ片４０の弾性を利用して、乗り継ぎ片４０の装着溝４３部分が支持杆３０の張出し片３２部分に上方から強制嵌合可能となるように構成すると共に、乗り継ぎ片４０が支持杆３０から上方に強制離脱可能となるように構成したものである。
【実施例】
【００１５】
前記コンベヤ１は、例えば、その両側部分に適宜型材からなるフレーム材３が配され、このフレーム材３の間で適宜搬送チェーン２が移動できるように構成されている。
尚、本発明の乗り継ぎ装置が装着されるコンベヤ１の具体的構成や、搬送チェーン２の具体的構成や、材質や、フレーム材３の具体的構成や、形状や、寸法や、材質等は、図示例のもの等に限定されない。
【００１６】
前記連結プレート５は、例えば、適宜金属板材によって構成されており、更に、フレーム材３の外側面部分と上面部分と下面部分に外装できるような溝形状に金属板材を折曲して形成されている。しかも、複数の取付けボルト６によってフレーム材３に確実に、簡単に、且つ安定的に固定できるように形成されている。また、連結プレート５は、隣設する一対のコンベヤ１のフレーム材３相互を強固に連結できるように形成されている。
【００１７】
一対の連結プレート５に支持杆３０を架設状に支持する前記支持手段は、例えば、取付けネジ１３によって連結プレート５に固定される固定用ブロック１０と、調節ボルト１５を介して固定用ブロック１０の上方に配されると共に、長孔２１に挿通される位置決めネジ２４を介して連結プレート５に昇降可能に固定される支持用ブロック２０とを備えており、しかも、前記調節ボルト１５は、固定用ブロック１０の貫通孔１２を貫通すると共に、その先端部分が支持用ブロック２０の雌ネジ穴２３に螺着され、しかも、調節ボルト１５に螺着された一対のナット１６が、固定用ブロック１０を上下から挟むように配されており、調節ボルト１５に対するナット１６の螺着位置の調節により、支持用ブロック２０の上下位置を微調節できるように構成されている。
【００１８】
前記固定用ブロック１０は、例えば、適宜金属材によって横長直方体状に形成され、その左右端部がわに取付けネジ１３が挿通される左右取付け孔１１が穿設され、その上下面中央には、調節ボルト１５が挿通可能な貫通孔１２が穿設されている。
【００１９】
前記支持用ブロック２０は、例えば、適宜金属材によって比較的厚肉な矩形板状に形成され、その左右下隅部には、位置決めネジ２４が上下に摺動自在となるよう挿通される左右長孔２１が穿設され、その下面中央には、調節ボルト１５の先端部分が螺着可能な雌ネジ穴２３が穿設されている。しかも、支持用ブロック２０の上面中央部分には、支持杆３０の端部を収容可能なＴ溝状の切欠溝部２２が切設されている。
【００２０】
更に、支持用ブロック２０の上部には、切欠溝部２２上方を覆えるような押え板２５が固定ネジ２６を介して装着できるよう形成されており、切欠溝部２２に収容された支持杆３０の端部を押え板２５で確実に且つ安定的に固定できるよう構成されている。
【００２１】
前記支持杆３０は、例えば、適宜金属製の細長帯板材を断面Ｔ字状となるように折曲することによって構成されており、具体的には、二つ折りされる基片３１と、この基片３１の上端部から搬送方向の一方と他方に夫々延びるように連設される一対の張出し片３２とからなっている（図３参照）。尚、支持杆３０は、一体的に構成したものであっても良い。また、支持杆３０は、十分な強度及び剛性を備えたものが採用される。
【００２２】
前記乗り継ぎ片４０は、例えば、適宜合成樹脂材によって細長帯板状に形成されており、被搬送物の乗り継ぎ面となる細長矩形状の上面４１と、この上面４１の長辺縁に夫々連設されると共に、コンベヤ１の搬送チェーン２の湾曲部分に対向するように傾斜している一対の傾斜下面４２と、一対の傾斜下面４２の下端縁間に配されると共に、支持杆３０の一対の張出し片３２を収容する装着溝４３とが形成されている。尚、一対の傾斜下面４２は、下方に行くに従って相互に漸次接近するような傾斜面となっている。また、この傾斜下面４２は、図のような平坦面であっても良いし、搬送チェーン２の湾曲状態に応じた湾曲面であっても良い（図示せず）。
【００２３】
しかも、装着溝４３と傾斜下面４２の連設部分夫々には、装着溝４３空間内に於いてその開口部分を狭めるように僅かに突出すると共に、張出し片３２の先端縁部分に係脱自在に係止可能となるような係止顎部４４が夫々形成されている。すなわち、この係止顎部４４によって乗り継ぎ片４０が支持杆３０から簡単に逸脱しないように形成されている（図３参照）。
【００２４】
更に、係止顎部４４夫々の下端部分には、相互に対峙すると共に、上方に行くに従ってその間隔が漸次拡がるように傾斜する一対の小傾斜面４５を形成してあり、この一対の小傾斜面４５は、乗り継ぎ片４０の装着溝４３部分を上方から支持杆３０の張出し片３２部分に強制的に嵌合する際に、一対の係止顎部４４が張出し片３２の先端縁部分をスムーズに乗り越えられるようにして、この嵌合作業がよりスムーズに行えるように設けられたものである。
【００２５】
加えて、乗り継ぎ片４０の上面４１には、梨地状の凹凸や或いは搬送方向に沿うような複数の切欠小溝４６を設けても良い。すなわち、被搬送物と上面４１との接触面積を低減させて、被搬送物が乗り継ぎ片４０をよりスムーズに通過できるように形成される。
また、乗り継ぎ片４０の上面４１は、平坦状に形成してあっても良いし、或いは、上下方向に於いて湾曲するような湾曲状に形成してあっても良い。
【００２６】
ところで、乗り継ぎ装置の具体的構成、連結プレート５の具体的構成、形状、寸法、材質、配設位置、取付けボルト６の具体的構成、形状、寸法、材質、数、配設位置、固定用ブロック１０の具体的構成、形状、寸法、材質、配設位置、取付け孔１１の具体的構成、形状、寸法、数、配設位置、貫通孔１２の具体的構成、形状、寸法、数、配設位置、取付けネジ１３の具体的構成、形状、寸法、材質、数、配設位置、調節ボルト１５の具体的構成、形状、寸法、材質、数、配設位置、ナット１６の具体的構成、形状、寸法、材質、数、配設位置、支持用ブロック２０の具体的構成、形状、寸法、材質、数、配設位置、長孔２１の具体的構成、形状、寸法、数、配設位置、切欠溝部２２の具体的構成、形状、寸法、配設位置、雌ネジ穴２３の具体的構成、形状、寸法、数、配設位置、位置決めネジ２４の具体的構成、形状、寸法、材質、数、配設位置、押え板２５の具体的構成、形状、寸法、材質、配設位置、固定ネジ２６の具体的構成、形状、寸法、材質、数、配設位置、支持杆３０の具体的構成、形状、寸法、材質、配設位置、基片３１の具体的構成、形状、寸法、材質、張出し片３２の具体的構成、形状、寸法、材質、乗り継ぎ片４０の具体的構成、形状、寸法、材質、配設位置、上面４１の具体的構成、形状、寸法、傾斜下面４２の具体的構成、形状、寸法、配設位置、装着溝４３の具体的構成、形状、寸法、配設位置、係止顎部４４の具体的構成、形状、寸法、配設位置、小傾斜面４５の具体的構成、形状、寸法、切欠小溝４６の具体的構成、形状、寸法、数、配設位置等は図示例のもの等に限定されることなく適宜自由に設定、変更できるものである。
【産業上の利用可能性】
【００２７】
しかして、本発明のコンベヤ１間の乗り継ぎ装置は、乗り継ぎ片４０の互換装着が、支持杆３０の上方からの着脱で行え、しかも、一対のコンベヤ１の間への設置が簡単に行えると共に、乗り継ぎ片４０を安定的に支持でき、耐久性に優れ、取扱い易く、メンテナンスも容易で、構成簡素で、量産に適し、低廉で、経済的なものとなる。
【符号の説明】
【００２８】
１      コンベヤ
２      搬送チェーン
３      フレーム材
５      連結プレート
６      取付けボルト
１０    固定用ブロック
１１    取付け孔
１２    貫通孔
１３    取付けネジ
１５    調節ボルト
１６    ナット
２０    支持用ブロック
２１    長孔
２２    切欠溝部
２３    雌ネジ穴
２４    位置決めネジ
２５    押え板
２６    固定ネジ
３０    支持杆
３１    基片
３２    張出し片
４０    乗り継ぎ片
４１    上面
４２    傾斜下面
４３    装着溝
４４    係止顎部
４５    小傾斜面
４６    切欠小溝
【図１】
2011073832.tif 000003
【図２】
2011073832.tif 000004
【図３】
2011073832.tif 000005
【図４】
2011073832.tif 000006
【図５】
2011073832.tif 000007